(57)【要約】【課題】化粧室とギャレーとで共用できるものは一方に設置して共用出来るようにすることで、空間を有効利用出来るようにすると共に、化粧室とギャレーとの容積を拡大でき、質量の軽減やコストを低減させることが出来る航空機用の化粧室とギャレーの構造を提供する。【解決手段】化粧室１とギャレー２（航空機内の台所）との外郭３は、繊維強化プラスチック（ＦＲＰ）等の樹脂材料により一体的に成形され、化粧室１とギャレー２とは、仕切り壁板４を介して隣接する位置に配設されている。化粧室１の内部には、便器５、ミラーや手洗い等の洗面台６等が設置され、またギャレー２の内部には、食料品搬送用の台車７及び台所用品８等が配備されている。この発明の実施形態では、前記化粧室１とギャレー２とで共通して使用できる部品，装置，用具の一つを、化粧室１とギャレー２との少なくとも一方に設置し、前記化粧室１とギャレー２とで部品，装置，用具を共用出来るように構成したものである。【選択図】  図１
2008239036.tif 000002
【特許請求の範囲】
【請求項１】
便器や化粧台等を配備した化粧室と、食料品搬送用の台車及び台所用品等を配備したギャレーとを仕切り壁板を介して隣接する位置に配設し、前記化粧室とギャレーとで共通して使用できる部品，装置，用具の一つを、化粧室とギャレーとの少なくとも一方に設置し、前記化粧室とギャレーとで部品，装置，用具を共用出来るように構成したことを特徴とする航空機用の化粧室とギャレーの構造。
【請求項２】
前記化粧室とギャレーとで共通して使用できる部品，装置，用具を、仕切り壁板に設けた連通穴を介して使用出来るようにした請求項１に記載の航空機用の化粧室とギャレーの構造。
【請求項３】
前記共用出来る部品，装置，用具が、給水用配管、排水用配管、電気配線、ごみ箱、空気用配管、水加熱装置である請求項１または２に記載の航空機用の化粧室とギャレーの構造。
【発明の詳細な説明】
【技術分野】
【０００１】
この発明は、航空機用の化粧室とギャレーの構造に係わり、更に詳しくは化粧室とギャレー（航空機内の台所）とを仕切り壁板を介して隣接する位置に配設し、化粧室とギャレーとで共用出来るものをそれぞれが使用出来るようにした航空機用の化粧室とギャレーの構造に関するものである。                                                        
【背景技術】
【０００２】
従来の航空機には、便器や化粧台等を配備した化粧室と、食料品搬送用の台車及び台所用品等を配備したギャレー（航空機内の台所）とがそれぞれ別々に配備され、化粧室とギャレーとには、給排水用配管や電気配線の他、ゴミ箱等の同じ部品等も個別に設置されているのが一般的である（例えば、特許文献１参照）。
【０００３】
また、図３に示すように、化粧室１とギャレー２とが仕切り壁４を挟んで隣接する位置に配置されている場合にも、上記のような給排水用配管Ｗａ，Ｗｂや電気配線９の他、共用できるようなゴミ箱等の部品１０をそれぞれ個別に設置されていた。このため、化粧室１及びギャレー２の室内の容積を広くすることが出来ず、また質量の軽減やコストを低減させることが出来ないと言う問題があった。
【０００４】
また、化粧室１とギャレー２との境界は、平面であることを前提にそれぞれが設計されていたため、各々が無駄なスペース等を有し、空間を有効的に利用することが出来ないと言う問題があった。
【特許文献１】特開平６−４０３９９号公報
【発明の開示】
【発明が解決しようとする課題】
【０００５】
この発明はかかる従来の問題点に着目し、化粧室とギャレーとで共用できるものは一方に設置して共用出来るようにすることで、空間を有効利用出来るようにすると共に、化粧室とギャレーとの容積を拡大でき、質量の軽減やコストを低減させることが出来る航空機用の化粧室とギャレーの構造を提供することを目的とするものである。
【課題を解決するための手段】
【０００６】
この発明は上記目的を達成するため、便器や化粧台等を配備した化粧室と、食料品搬送用の台車及び台所用品等を配備したギャレーとを仕切り壁板を介して隣接する位置に配設し、前記化粧室とギャレーとで共通して使用できる部品，装置，用具の一つを、化粧室とギャレーとの少なくとも一方に設置し、前記化粧室とギャレーとで部品，装置，用具を共用出来るように構成したことを要旨とするものである。
【０００７】
ここで、前記化粧室とギャレーとで共通して使用できる部品，装置，用具を、仕切り壁板に設けた連通穴を介して使用出来るようにし、前記共用出来る部品，装置，用具が、給水用配管、排水用配管、電気配線、ごみ箱、空気用配管、水加熱装置である。
【０００８】
このように構成することで、化粧室とギャレーとの容積を拡大して、空間の有効利用を図ることが出来、また同じ部品を個別に設置する必要がないので、質量の軽減とコストダウンを図ることが出来るものである。
【発明の効果】
【０００９】
この発明は、上記のように便器や化粧台等を配備した化粧室と、食料品搬送用の台車及び台所用品等を配備したギャレーとを仕切り壁板を介して隣接する位置に配設し、前記化粧室とギャレーとで共通して使用できる部品，装置，用具の一つを、化粧室とギャレーとの少なくとも一方に設置し、前記化粧室とギャレーとで部品，装置，用具を共用出来るように構成したので、以下のような優れた効果を奏するものである。
【００１０】
(a).システムの簡略化や質量の軽減、容積効率の向上を図ることが出来る。
(b).隣接する箇所で隣り合う壁構造体を共用化すると共に、化粧室とギャレーとを一体構造とみなした構造設計を行うことにより、それぞれ単体で要求される荷重強度を確保する方式と比較し、より軽量な構造にすることが可能である。
(c).化粧室とギャレーとを平面状の境界で区切らず、それぞれ必要な奥行きに合わせて組み込んだ構造とすることにより、従来よりも装備品配置の自由度が上がり、これまで以上に容積効率を上げることが可能となる。
【発明を実施するための最良の形態】
【００１１】
以下、添付図面に基づき、この発明の実施形態を説明する。
なお、以下の説明において、従来例と同一構成要素は同一符号を付して説明は省略する。
【００１２】
図１は、この発明を実施した航空機用の化粧室とギャレーの構造の概略斜視図を示し、この化粧室１とギャレー２（航空機内の台所）との外郭３は、繊維強化プラスチック（ＦＲＰ）等の樹脂材料により一体的に成形され、化粧室１とギャレー２とは、仕切り壁板４を介して隣接する位置に配設されている。
【００１３】
前記化粧室１の内部には、便器５、ミラーや手洗い等の洗面台６等が設置され、またギャレー２の内部には、食料品搬送用の台車７及び台所用品８等が配備されている。
【００１４】
この発明の実施形態では、前記化粧室１とギャレー２とで共通して使用できる部品，装置，用具の一つを、化粧室１とギャレー２との少なくとも一方に設置し、前記化粧室１とギャレー２とで部品，装置，用具を共用出来るように構成したものである。
【００１５】
即ち、前記化粧室１とギャレー２とで共通して使用できる部品，装置，用具を、仕切り壁板４に設けた連通穴を介して使用出来るようにし、前記共用出来る部品，装置，用具としては、給水用配管Ｗａ、排水用配管Ｗｂ、電気配線９、ごみ箱１０、図示しない空気用配管及び図示しない水加熱装置等を挙げることが出来る。
【００１６】
このように、隣接する箇所で隣り合う壁構造体、即ち、化粧室１とギャレー２とを共用化すると共に、化粧室１とギャレー２とを一体構造とみなした構造設計を行うことにより、それぞれ単体で要求される荷重強度を確保する方式と比較し、より軽量な構造にすることが可能である。そして、システムの簡略化や質量の軽減、容積効率の向上を図ることが出来、化粧室１とギャレー２とで共用できるものを有効利用することが出来る。この結果、部品点数も低減でき、コストダウンを図ることも可能である。
【００１７】
また、化粧室１とギャレー２とを平面状の境界で区切らず、それぞれ必要な奥行きに合わせて組み込んだ構造とすることにより、従来よりも装備品配置の自由度が上がり、これまで以上に容積効率を上げることが可能となる。
【００１８】
なお、化粧室１とギャレー２とで共通して使用できる部品，装置，用具の配置により、仕切り壁板４を任意に入り組んだ構造にでき、容積効率の向上を図ることが出来る。
【図面の簡単な説明】
【００１９】
【図１】この発明を実施した航空機用の化粧室とギャレーの構造の概略斜視図である。
【図２】この発明を実施した化粧室とギャレーの簡略化した側面図である。
【図３】従来の化粧室とギャレーの簡略化した側面図である。
【符号の説明】
【００２０】
１  化粧室
２  ギャレー
３  外郭
４  仕切り壁板
５  便器
６  洗面台
７  台車
８  台所用品
Ｗａ  給水用配管
Ｗｂ  排水用配管
９  電気配線
１０  ごみ箱
【図１】
2008239036.tif 000003
【図２】
2008239036.tif 000004
【図３】
2008239036.tif 000005